(57)【要約】  デジタル静止画像、ビデオ・クリップ、メニュー項目およびアイコンの任意の組合せを含む対象物を表示するための表示画面と、表示されている対象物間をユーザがナビゲートできるようにするためのナビゲーション・キーを備えるナビゲーション・コントローラとを備える携帯電子撮像装置のための方法および装置。この場合、ユーザは、最後に押下したナビゲーション・キーから指を離さないで現在表示されている対象物を選択することができ、それにより１つのコントローラ上でナビゲーション機能および選択機能を実施することができる。【特許請求の範囲】
【請求項１】
携帯電子撮像装置であって、
デジタル静止画像、ビデオ・クリップ、メニュー項目およびアイコンの任意の組合せを含む対象物を表示するための表示画面と、
前記表示されている対象物間をユーザがナビゲートできるようにするためのナビゲーション・キーを備えるナビゲーション・コントローラであって、ユーザが、最後に押下したナビゲーション・キーから指を離さないで現在表示されている対象物を選択可能であり、それにより１つのコントローラ上でナビゲーション機能および選択機能を実施可能なナビゲーション・コントローラとを備える装置。
【請求項２】
前記装置が、前記ナビゲーション・キーのうちの任意の１つのキー上の２回の押下動作を検出するように構成され、前記２回の押下動作を、前記現在選択している対象物上でデフォルト動作を行うユーザの選択イベントであると判断する請求項１に記載の装置。
【請求項３】
前記装置が、前記ナビゲーション・キーのうちの任意の１つのキー上のプレス・アンド・ホールド動作を検出するように構成され、前記プレス・アンド・ホールド動作を、前記現在選択している対象物上でデフォルト動作を行うユーザの選択イベントであると判断する請求項２に記載の装置。
【請求項４】
前記装置が、任意のナビゲーション・キー上の２回の押下動作およびプレス・アンド・ホールド動作の両方を検出するように構成され、検出した２回の押下動作がユーザの選択を示し、一方、検出したプレス・アンド・ホールド動作が現在選択している対象物上である動作を行う請求項３に記載の装置。
【請求項５】
前記検出したプレス・アンド・ホールド動作がユーザの選択を示し、一方、前記検出した２回の押下動作が現在選択している対象物上で前記動作を行う請求項３に記載の装置。
【請求項６】
前記ナビゲーション・キーのうちの１つが押下されたことを検出した場合に、同じキーの前の押下動作と現在のキーの押下動作との間の時間が、前記所定の２回の押下時間より長い場合、前記現在のキーの押下動作をナビゲーション・イベントであると判断する請求項２に記載の装置。
【請求項７】
前記ナビゲーション・キーのうちの１つが押下されたことを検出した場合に、同じキーの前の押下動作と現在のキーの押下動作との間の時間が、前記２回の押下時間より短い場合、前記現在のキーの押下動作を選択イベントであると判断する請求項６に記載の装置。
【請求項８】
前記装置が、同じキーの前の押下動作と現在のキーの押下動作との間の時間が、前記所定の２回押下時間より長いか否かを判定し、長い場合には、最後の複数の押下動作が同じナビゲーション・キー上で行われたか否かをチェックし、行われた場合には、ナビゲーション中に表示されている対象物を通してユーザが高速スクロールしていると判定することにより、ナビゲーション中の高速スクロールと２回の押下動作とを区別する請求項７に記載の装置。
【請求項９】
同じキーの前の押下動作と現在の押下動作との間の時間が、前記２回押下時間より短いが、前記最後の複数の押下動作が、同じナビゲーション・キー上で行われなかった場合、前記現在のキーの押下動作が選択イベントであると判断される請求項８に記載の装置。
【請求項１０】
前記装置が、デジタル・カメラ、カメラ付き携帯電話、ＭＰ３プレーヤおよび携帯情報端末のうちの少なくとも１つを備える請求項３に記載の装置。
【請求項１１】
携帯電子撮像装置であって、
デジタル静止画像、ビデオ・クリップ、メニュー項目およびアイコンの任意の組合せを含む対象物を表示するための表示画面と、
前記表示されている対象物間をユーザがナビゲートできるようにするためのナビゲーション・キーを備えるナビゲーション・コントローラであって、前記装置が、前記ナビゲーション・キーのうちの任意の１つのキー上の２回の押下動作を検出し、前記２回の押下動作を、前記現在選択している対象物上でデフォルト動作を行うユーザの選択イベントであると判断するように構成されるナビゲーション・コントローラとを備える装置。
【請求項１２】
携帯電子撮像装置であって、
デジタル静止画像、ビデオ・クリップ、メニュー項目およびアイコンの任意の組合せを含む対象物を表示するための表示画面と、
前記表示されている対象物間をユーザがナビゲートできるようにするためのナビゲーション・キーを備えるナビゲーション・コントローラであって、前記装置が、前記ナビゲーション・キーのうちの任意の１つ上のプレス・アンド・ホールド動作を検出するように構成され、前記プレス・アンド・ホールド動作を、前記現在選択している対象物上でデフォルト動作を行うユーザ選択イベントであると判断するナビゲーション・コントローラとを備える装置。
【請求項１３】
多目的ナビゲーション・コントローラを備える携帯電子撮像装置を提供するための方法であって、
表示画面上に、デジタル静止画像、ビデオ・クリップ、メニュー項目およびアイコンの任意の組合せを含む対象物を表示するステップと、
前記表示された対象物間をユーザがナビゲートできるようにするためのナビゲーション・キーを備えるナビゲーション・コントローラを有する前記装置を提供するステップであって、ユーザが、最後に押下したナビゲーション・キーから指を離さないで現在表示されている対象物を選択可能であり、それにより１つのコントローラ上でナビゲーション機能および選択機能を実施可能であるステップとを含む方法。
【請求項１４】
前記ナビゲーション・キーのうちの任意の１つのキー上の２回の押下動作を検出するように前記装置を構成するステップと、前記２回の押下動作を、前記現在選択している対象物上でデフォルト動作を行うユーザの選択イベントであると判断するステップとをさらに含む請求項１３に記載の方法。
【請求項１５】
前記ナビゲーション・キーのうちの任意の１つのキー上のプレス・アンド・ホールド動作を検出するように前記装置を構成するステップと、前記プレス・アンド・ホールド動作を、前記現在選択している対象物上でデフォルト動作を行うユーザの選択イベントであると判断するステップとをさらに含む請求項１４に記載の方法。
【請求項１６】
任意のナビゲーション・キー上の２回の押下動作およびプレス・アンド・ホールド動作の両方を検出するように前記装置を構成するステップであって、検出した２回押下動作がユーザの選択を示し、一方、検出したプレス・アンド・ホールド動作が前記現在選択している対象物上である動作を行うステップをさらに含む請求項１５に記載の方法。
【請求項１７】
任意のナビゲーション・キー上のプレス・アンド・ホールド動作および２回の押下動作を検出するように前記装置を構成するステップであって、前記検出したプレス・アンド・ホールド動作がユーザの選択を示し、一方、前記検出した２回押下動作が前記現在選択している対象物上である動作を行うステップをさらに含む請求項１５に記載の方法。
【請求項１８】
前記ナビゲーション・キーのうちの１つが押下されたことを検出した場合に、同じキーの前の押下動作と現在のキーの押下動作との間の時間が、前記所定の２回押下時間より長い場合、前記現在のキーの押下動作をナビゲーション・イベントであると判断するステップをさらに含む請求項１４に記載の方法。
【請求項１９】
前記ナビゲーション・キーのうちの１つが押下されたことを検出した場合に、同じキーの前の押下動作と現在のキーの押下動作との間の時間が、前記所定の２回の押下時間より短い場合、前記現在のキーの押下動作を選択イベントであると判断するステップをさらに含む請求項１８に記載の方法。
【請求項２０】
同じキーの前の押下動作と現在のキーの押下動作との間の時間が、前記所定の２回の押下時間より長いか否かを判定し、長い場合には、最後の複数の押下動作が同じナビゲーション・キー上で行われたか否かをチェックし、行われた場合には、ナビゲーション中に表示されている対象物を通してユーザが高速スクロールしていると判定することにより、ナビゲーション中の高速スクロールと２回の押下動作とを区別するステップをさらに含む請求項１９に記載の方法。
【請求項２１】
同じキーの前の押下動作と現在の押下動作との間の時間が、前記記憶している２回の押下時間より短いが、前記最後の複数の押下動作が、同じナビゲーション・キー上で行われなかった場合には、前記現在のキーの押下動作を選択イベントであると判断するステップをさらに含む請求項２０に記載の方法。
【請求項２２】
前記装置にデジタル・カメラ、カメラ付き携帯電話、ＭＰ３プレーヤ、および携帯情報端末のうちの少なくとも１つを提供するステップをさらに含む請求項１５に記載の方法。
【発明の詳細な説明】
【技術分野】
【０００１】
本発明は、概して、デジタル・カメラおよび携帯電話を含む携帯電子撮像装置に関し、特に多目的ナビゲーション・キーによりナビゲーション機能および選択機能を実施するための方法および装置に関する。
【背景技術】
【０００２】
デジタル画像およびビデオを表示可能な携帯電子撮像装置は、今日広く使用されている。このような装置の例としては、例えば、デジタルカメラ、カメラ付き携帯電話、ＭＰ３プレーヤ、および携帯情報端末（ＰＤＡ）等がある。図１Ａおよび図１Ｂは、従来の撮像装置上に位置するハードウェア・インタフェースの例示としての一部を示す図である。
【０００３】
図１Ａを参照すると、従来の撮像装置１０は、対象物１４を表示するための液晶表示装置（ＬＣＤ）、または他のタイプの表示画面１２を備える。表示画面上に表示することができる対象物は、デジタル静止画像、ビデオ・クリップ、メニュー項目およびアイコンを含むことができる。プレイ・モードの場合、表示画面１２は、ユーザが対象物を個々に見ることができるようにする、または複数の対象物を一度に見ることができるようにする再生画面として使用される。表示画面１２の他に、ハードウェア・ユーザ・インタフェースも、装置１０を操作し、表示している対象物１４間をナビゲートするための多数のキー、ボタンまたはスイッチを含む。例示としてのキーは、表示した画像をズームアップするためのズーム・キー（図示せず）、ナビゲーション・コントローラ１８および選択キー２０を含む。図１Ａは、４方向ナビゲーション・コントローラ１８を示す。このコントローラは、４つのキー、すなわち水平方向に配置されている左／右キー１８ａおよび１８ｂ、および垂直方向に配置されている上／下キー１８ｃおよび１８ｄを含む。図１Ｂは、図１Ａに類似の図である。同等の参照番号は同等の構成要素を示すが、４つのキーではなく２つのキー１８ａおよび１８ｂしか含んでいない２方向ナビゲーション・コントローラを備える従来の撮像装置１０を示す。
【０００４】
図１Ａおよび図１Ｂの両方の実施形態において、ユーザは、ナビゲーション・コントローラ１８を押下することにより所望の対象物１４にナビゲートする。画面１２上に１つの対象物１４が表示されている場合には、表示されている対象物１４が現在選択している対象物であると見なされる。複数の対象物１４が表示されている場合には、現在選択している対象物１４を表示するために、ユーザがナビゲートするにつれて、強調表示部分または他の表示がある対象物１４から他の対象物１４に移動する。ユーザが所望の対象物１４にナビゲートすると、ユーザは、選択キー２０を押下することにより、現在選択している対象物に関連するデフォルト動作をスタートすることができる。選択キー２０を押下することにより行うことができる動作の例としては、編集、開／実行および削除等がある。図１Ａの場合には、選択キー２０は、ナビゲーション・コントローラ１８の中央に位置しているが、選択キー２０は、図１Ｂに示すように、ナビゲーション・コントローラの外側に設置することもできる。さらに他の実施形態の場合には、一体型２方向／４方向キーとして、２方向／４方向ナビゲーション・コントローラ１８を実施することもできる。
【０００５】
ナビゲーション・コントローラ１８および選択キー２０の組合せにより、ユーザが対象物間をナビゲートし、対象物１４に関連する動作をスタートすることが可能な現在の解決方法は、その意図する目的を達成することができるが、この実施態様はいくつかの欠点を有する。まず、携帯撮像装置上においては、キーのためのスペースが狭い。ナビゲーション・キー１８および選択キー２０を別々のものにすると、装置１０上の貴重なスペースが占有されてしまう。ユーザは、正しい順序で正しいキーを見つけ、押下しなければならないが、小型にするために多くの携帯装置上のキーは小さいので、この動作は、いつでも楽な仕事というわけではない。
【０００６】
さらに、ユーザは、所望するナビゲーションの方向に対するナビゲーション・コントローラ１８の正しい部分を発見しなければならない。ナビゲーション・コントローラ・キーを備える装置のユーザは、多くの場合、ナビゲーション・コントローラ・キー１８の所望しない部分を押下したために予期しない結果を経験することになる。最もよく起こる間違いは、選択機能をスタートするために選択キー２０を押下しようとした場合に、ユーザがナビゲーション・キーを押下した場合に起こる。
【発明の開示】
【発明が解決しようとする課題】
【０００７】
それ故、携帯電子撮像装置上でナビゲーション機能および選択機能を実施するための改良された方法および装置が求められている。本発明はそのようなニーズを満足させる。
【課題を解決するための手段】
【０００８】
本発明は、デジタル静止画像、ビデオ・クリップ、メニュー項目およびアイコンの任意の組合せを含む対象物を表示するための表示画面と、表示されている対象物間をユーザがナビゲートすることができるようにするためのナビゲーション・キーを備えるナビゲーション・コントローラとを含む携帯電子撮像装置を提供する。この場合、ユーザは、最後に押下したナビゲーション・キーから指を離さないで現在表示されている対象物を選択することができ、それにより１つのコントローラ上でナビゲーション機能および選択機能を実施することができる。好ましい実施形態の場合には、携帯撮像装置は、任意のナビゲーション・キー上の２回の押下動作およびプレス・アンド・ホールド動作を検出するように構成されていて、これらのイベントの一方または両方を、現在選択している対象物上でデフォルト動作を行うユーザの選択イベントであると判断することができる。
【０００９】
本明細書に開示する方法および装置によれば、本発明を使用した場合、ユーザは選択キーを使用する必要がなくなり、ユーザの間違いが少なくなる。さらに、装置から選択キーを完全に除去することができ、それによりナビゲーション・コントローラを備える装置上のスペースを節約することができる。
【発明を実施するための最良の形態】
【００１０】
本発明は、携帯電子装置上でのナビゲーション機能および選択機能の実施に関する。以下の説明は、通常の当業者が本発明を製造し、使用することができるようにするためのものであり、特許出願およびその要件の形をとっている。当業者であれば本明細書に記載する好ましい実施形態および一般的な原理および機能に対する種々の修正を容易に思い付くことができるだろう。それ故、本発明は、図の実施形態に限定されるものではなく、本明細書に記載する原理および機能による最も広い範囲を含む。
【００１１】
本発明は、ナビゲーション機能および選択機能の両方を行う多目的ナビゲーション・コントローラを提供することにより、携帯電子撮像装置上でナビゲーション機能および選択機能を実施するために改良された方法および装置を提供する。好ましい実施形態の場合には、携帯電子装置は、デジタルカメラ、カメラ付き携帯電話、音楽プレーヤまたはＰＤＡのような画像を表示することができる任意の装置である。しかし、他の実施形態の場合には、携帯電子装置は、例えば、遠隔制御装置のような撮像装置を制御する装置を含む。
【００１２】
図２Ａおよび図２Ｂは、本発明による多目的ナビゲーション・コントローラを有する携帯電子撮像装置のハードウェア・ユーザ・インタフェースの実施形態を示す図面である。図面中、同等の参照番号は同等の構成要素を示す。本発明の多目的ナビゲーション・コントローラ５６を備える撮像装置５０を使用すれば、ユーザは、最後に押下したナビゲーション・キー５６から自分の指を離さないで、画面５２上に表示されている対象物５４を選択することができる。好ましい実施形態の場合には、携帯撮像装置５０は、任意のナビゲーション・キー５６上の２回の押下動作およびプレス・アンド・ホールド動作を検出するように構成されている。これらのイベントの一方または両方は、検出された場合、現在選択している対象物上でデフォルト動作を行うユーザの選択イベントであると判断することができる。それ故、ユーザが表示の対象物５４にナビゲートした場合には、ユーザは、現在の対象物５４を選択するために、最後に押下したナビゲーション・キー５６（または任意のナビゲーション・キー）を単にダブル・クリックするか、または最後に押下したナビゲーション・キー５６をプレス・アンド・ホールド動作を行うこともできる。他の実施形態の場合には、装置５０を、検出したプレス・アンド・ホールド動作が、現在選択している対象物上である動作を行いながら、検出した２回の押下動作がユーザの選択を表示するように、任意のナビゲーション・キー５６上の２回の押下動作およびプレス・アンド・ホールド動作を検出するように構成することもできるし、その逆の構成にすることもできる。本発明の多目的ナビゲーション・コントローラ５６を使用すれば、選択したイベントを表示するための別の選択キーが必要なくなり、そのため別の選択キーを使用しなくてすむようになり、その結果、装置上のスペースが広くなり、ユーザの間違いが少なくなる。
【００１３】
好ましい実施形態の場合には、多目的ナビゲーション・コントローラ５６は、図２Ａおよび図２Ｂにそれぞれ示すように、４方向または２方向ナビゲーション・コントローラとして実施することができ、ナビゲーション・コントローラ５６は、別のナビゲーション・キーとしても、または一体型４方向／２方向キーとしても実施することができる。また、好ましい実施形態の場合には、別の選択キーは、スペースを節約するために装置５０から除去されている。しかし、他の実施形態の場合には、装置５０は、ナビゲーション制御部の中央に位置するか、またはナビゲーション制御部の外側に位置する別の選択キー（図示せず）をユーザの便宜のために含むことができる。
【００１４】
図３は、本発明の好ましい実施形態による多目的ナビゲーション・コントローラ５６を提供することにより、携帯電子撮像装置上でナビゲーション機能および選択機能を実施するための方法を示すフローチャートである。このプロセスは、装置５０が、ステップ１００において、ナビゲーション・キー５６のうちの１つが押下され、解放されたことを検出した場合にスタートする。キーが押下されて解放された場合には、装置５０は、ステップ１０２において、同じキーを前に押下した動作と現在押下している動作との間の時間が、記憶された２回の押下動作より短いか否かを判定する。
【００１５】
図２Ａおよび図２Ｂを再度参照すると、好ましくは、２回の押下時間５８は、解放時間６０と一緒に装置５０の不揮発性メモリ６０に記憶される。好ましい実施形態の場合には、両方を構成することができる。図２Ａ、図２Ｂおよび図３を参照すると、ステップ１０２において、押下動作間の時間が２回押下時間５８より長い場合には、装置５０は、キーの押下動作をナビゲーション・イベントであると判断し、ステップ１０４において次の対象物を表示する（または、現在の動作モードにより強調表示部分を次の対象物に移動する）。
【００１６】
本発明の一態様によれば、装置５０は、さらに、ナビゲーション中の高速スクロールおよび２回押下動作を下記のように区別するように構成される。同じキーに対する前の押下動作と現在の押下動作との間の時間がステップ１０２で記憶した２回の押下時間５８より短い場合には、装置５０は、ステップ１０６において、押下動作の最後の数回（例えば、３回）が、同じナビゲーション・キー５６上で行われたか否かをチェックする。ステップ１０６において、最後の数回の押下動作が同じキー上で行われた場合には、装置５０は、ステップ１０８において、ナビゲーション中、ユーザが表示されている対象物を通して高速でスクロールしていると判定する。それ故、現在のキーの押下動作は、ナビゲーション・イベントであると判断され、ステップ１０４において説明したように、次の対象物が表示される。
【００１７】
同じキーの前の押下動作と現在の押下動作との間の時間がステップ１０２において記憶した２回押下時間５８より短いが、最後の数回の押下動作がステップ１０６において同じナビゲーション・キー上で行われなかった場合には、ステップ１１０において、現在のキーの押下動作は選択イベントであると判断される。ステップ１１２において、装置５０は現在選択している対象物に関連する動作を実行する。
【００１８】
また、本発明によれば、装置５０が、ナビゲーション・キーのうちの１つが押下されたが、ステップ１４の解放時間６２より長いことを検出した場合には、この「プレス・アンド・ホールド動作」は、ステップ１１０において選択イベントであると判断され、装置５０はステップ１１２で説明した動作を実行する。
【００１９】
多目的ナビゲーション・キーを使用する携帯電子撮像装置上でナビゲーション機能および選択機能を実施するための方法および装置について開示してきた。図の実施形態により本発明を説明してきたが、当業者であれば実施形態を種々に変更することができ、すべての変更が本発明の精神および範囲に含まれることを容易に理解することができるだろう。それ故、当業者であれば添付の特許請求の範囲の精神および範囲から逸脱することなしに、種々の修正を行うことができる。
【図面の簡単な説明】
【００２０】
【図１Ａ】従来の撮像装置上に位置するハードウェア・インタフェースの例示としての部分を示す図。
【図１Ｂ】従来の撮像装置上に位置するハードウェア・インタフェースの例示としての部分を示す図。
【図２Ａ】本発明による多目的ナビゲーション・コントローラを有する携帯電子撮像装置のハードウェア・ユーザ・インタフェースの実施形態を示す図。
【図２Ｂ】本発明による多目的ナビゲーション・コントローラを有する携帯電子撮像装置のハードウェア・ユーザ・インタフェースの実施形態を示す図。
【図３】本発明の好ましい実施形態による多目的ナビゲーション・コントローラを提供することにより、携帯電子撮像装置上でナビゲーション機能および選択機能を実施するための方法を示すフローチャート。
【図１Ａ】
2008503930.tif 000002
【図１Ｂ】
2008503930.tif 000003
【図２Ａ】
2008503930.tif 000004
【図２Ｂ】
2008503930.tif 000005
【図３】
2008503930.tif 000006
【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
携帯電子撮像装置であって、
デジタル静止画像、ビデオ・クリップ、メニュー項目およびアイコンの任意の組合せを含む対象物を表示するための表示画面と、
前記表示されている対象物間をユーザがナビゲートできるようにするためのナビゲーション・キーを備えるナビゲーション・コントローラであって、１つのキー上でナビゲーション機能および選択機能を実施するために、ユーザが、最後に押下したナビゲーション・キーから指を離さないで現在表示されている対象物を選択できるように、前記装置が、ナビゲーション・キーが押下されたことを検出し、同じキーの前の押下動作と現在のキーを押下する動作との間の時間が所定の２回押下時間より長い場合に、現在のキーを押下する動作をナビゲーション・イベントおよびユーザ選択イベントのうちの一方であると判断し、同じキーの前の押下動作と現在のキーを押下する動作との間の時間が前記２回押下時間より短い場合に、前記現在のキーを押下する動作を前記ナビゲーション・イベントおよび前記ユーザ選択イベントのうちの他方であると判断するように構成されるナビゲーション・コントローラとを備える装置。
【請求項２】
前記装置が、前記現在のキーが押下され、解放時間より長い時間押下されたままである場合に、プレス・アンド・ホールド動作を検出し、前記プレス・アンド・ホールド動作を、前記現在選択している対象物上でデフォルト動作を行うユーザの選択イベントであると判断する請求項１に記載の装置。
【請求項３】
前記装置が、同じキーの前の押下動作と現在のキーの押下動作との間の時間が、前記所定の２回の押下時間より長いか否かを判定し、長い場合には、最後の複数の押下動作が前記同じナビゲーション・キー上で行われたか否かをチェックし、行われた場合には、ナビゲーション中表示されている対象物を通してユーザが高速スクロールしていると判定することにより、ナビゲーション中の高速スクロールと２回押下動作とを区別する請求項１に記載の装置。
【請求項４】
同じキーの前の押下動作と現在の押下動作との間の時間が、前記２回押下時間より短いが、前記最後の複数の押下動作が、同じナビゲーション・キー上で行われなかった場合、前記装置が前記現在のキーの押下動作を選択イベントであると判断される請求項３に記載の装置。
【請求項５】
前記装置が、デジタル・カメラ、カメラ付き携帯電話、ＭＰ３プレーヤおよび携帯情報端末のうちの少なくとも１つを備える請求項１に記載の装置。
【請求項６】
携帯電子撮像装置であって、
デジタル静止画像、ビデオ・クリップ、メニュー項目およびアイコンの任意の組合せを含む対象物を表示するための表示画面と、
前記表示されている対象物間をユーザがナビゲートできるようにするためのナビゲーション・キーを備えるナビゲーション・コントローラであって、前記装置が、前記現在のキーが押下され、解放時間より長い時間押下されたままである場合に、前記ナビゲーション・キーのうちの任意の１つのキー上のプレス・アンド・ホールド動作を検出し、前記プレス・アンド・ホールド動作を、前記現在選択している対象物上でデフォルト動作を行うユーザの選択イベントであると判断するように構成されるナビゲーション・コントローラとを備える装置。
【請求項７】
多目的ナビゲーション・コントローラを備える携帯電子撮像装置を提供するための方法であって、
表示画面上に、デジタル静止画像、ビデオ・クリップ、メニュー項目およびアイコンの任意の組合せを含む対象物を表示するステップと、
前記表示されている対象物間をユーザがナビゲートできるようにするためのナビゲーション・キーを備えるナビゲーション・コントローラを備える前記装置を提供するステップと、
ナビゲーション・キーが押下されたことを検出するステップと、
同じキーの前の押下動作と現在のキーを押下する動作との間の時間が所定の２回押下時間より長い場合に、前記現在のキーを押下する動作をナビゲーション・イベントおよびユーザの選択イベントのうちの一方であると判断するステップと、
同じキーの前の押下動作と前記現在のキーを押下する動作との間の時間が前記２回押下時間より短い場合に、前記現在のキーを押下する動作を前記ナビゲーション・イベントおよび前記ユーザの選択イベントのうちの他方であると判断するステップとを含み、
前記装置が、１つのキー上でナビゲーション機能および選択機能を実施するために、ユーザが、最後に押下したナビゲーション・キーから指を離さないで現在表示されている対象物を選択できるように構成される方法。
【請求項８】
前記現在のキーが押下され、解放時間より長い時間押下されたままである場合に、プレス・アンド・ホールド動作を検出するステップと、
前記プレス・アンド・ホールド動作を、前記現在選択している対象物上でデフォルト動作を行うユーザの選択イベントであると判断するステップとをさらに含む請求項７に記載の方法。
【請求項９】
同じキーの前の押下動作と現在のキーの押下動作との間の時間が、前記所定の２回押下時間より長いか否かを判定し、長い場合に、最後の複数の押下動作が同じナビゲーション・キー上で行われたか否かをチェックし、行われた場合に、ナビゲーション中表示されている対象物を通してユーザが高速スクロールしていると判定することにより、ナビゲーション中の高速スクロールと２回押下動作とを区別するステップをさらに含む請求項７に記載の方法。
【請求項１０】
同じキーの前の押下動作と現在の押下動作との間の時間が、前記記憶している２回押下時間より短いが、前記最後の複数の押下動作が、同じナビゲーション・キー上で行われなかった場合には、前記現在のキーの押下動作を選択イベントであると判断するステップを含む請求項９に記載の方法。
【請求項１１】
前記装置が、デジタル・カメラ、カメラ使用可能な携帯電話、ＭＰ３プレーヤおよび携帯情報端末のうちの少なくとも１つを含む請求項７に記載の方法。